(57)【要約】      （修正有）【課題】発光効率が高く、かつ消費電力を小さくする有機ＥＬ表示装置を提供する。【解決手段】基板１と、基板１に設けられる下部電極（下部反射電極２）と、該下部電極の上方に設けられ層の数がｎである電極層４、６、８と、該下部電極と該下部電極の直上にある電極層との間及び該電極層間に設けられ所定の光を発する発光層を含み層の数がｎである有機化合物層３、５、７と、から構成され、該発光層から発せられ該下部電極へ進行する光について下記式（１）で示される干渉条件式を満たし、該下部電極から最上層９の反射面へ進行する光について下記式（２）で示される干渉条件式を満たすことを特徴とする、有機ＥＬ表示装置。2010015787.tif 0000332010015787.tif 000034【選択図】図１
2010015787.tif 000002
【特許請求の範囲】
【請求項１】
基板と、
該基板上に設けられる下部電極と、
該下部電極の上方に設けられ層の数がｎである電極層と、
該下部電極と該下部電極の直上にある電極層との間及び該電極層間に設けられ所定の光を発する発光層を含み層の数がｎである有機化合物層と、から構成され、
該発光層から発せられ該下部電極へ進行する光について下記式（１）で示される干渉条件式を満たし、
該下部電極から最上層の反射面へ進行する光について下記式（２）で示される干渉条件式を満たすことを特徴とする、有機ＥＬ表示装置。
【数１】
2010015787.tif 000025
2010015787.tif 000026
（式（１）において、Ｌiは、下部電極側からｉ番目の発光層（第ｉ発光層）の発光領域と下部電極表面との間の光学的距離を表す。λiは第ｉ発光層から取り出される光のピーク波長を表す。δは、下部電極における位相シフト量を表す。ｍi1は自然数を表す。式（２）において、Ｌtは、下部電極の反射面と最上層との間の光学的距離を表す。φは、最上層の反射面で光が反射する際に生じる位相シフト量を表す。ｍi2は、自然数を表す。）
【請求項２】
基板と、
該基板上に設けられる下部反射電極と、
該下部反射電極上に設けられ所定の色を発する第１発光層を含む第１有機化合物層と、
該第１有機化合物層上に設けられる第１電極層と、
該第１電極層上に設けられ所定の色を発する第２発光層を含む第２有機化合物層と、
該第２有機化合物層上に設けられる第２電極層と、
該第２電極層上に設けられ所定の色を発する第３発光層を含む第３有機化合物層と、
該第３有機化合物層上に設けられる第３電極層と、から構成され、
該第１発光層、該第２発光層又は該第３発光層から発せられ該下部反射電極へ進行する光について下記式（１）で示される干渉条件式を満たし、
該下部反射電極から最上層の反射面へ進行する光について下記式（２）で示される干渉条件式を満たすことを特徴とする、有機ＥＬ表示装置。
【数２】
2010015787.tif 000027
2010015787.tif 000028
【請求項３】
基板と、
該基板上に設けられる下部反射電極と、
該下部反射電極上に設けられ所定の色を発する第１発光層を含む第１有機化合物層と、
該第１有機化合物層上に設けられる第１電極層と、
該第１電極層上に設けられ所定の色を発する第２発光層を含む第２有機化合物層と、
該第２有機化合物層上に設けられる第２電極層と、から構成され、
該第１発光層又は該第２発光層から発せられ該下部反射電極へ進行する光について下記式（１）で示される干渉条件式を満たし、
該下部反射電極から最上層の反射面へ進行する光について下記式（２）で示される干渉条件式を満たすことを特徴とする、有機ＥＬ表示装置。
【数３】
2010015787.tif 000029
2010015787.tif 000030
【請求項４】
前記最上層から取り出される光のピーク波長が発光層のＰＬスペクトルの半値幅内にあることを特徴とする、請求項１〜３のいずれか一項に記載の有機ＥＬ表示装置。
【請求項５】
前記最上層に該当しない電極層が透明電極層であることを特徴とする、請求項１〜４にいずれか一項に記載の有機ＥＬ表示装置。
【請求項６】
前記最上層が光学調整層であり、該光学調整層の上部が光取り出し側の反射面となることを特徴とする、請求項１〜５のいずれか一項に記載の有機ＥＬ表示装置。
【請求項７】
基板と、
該基板上に設けられる下部電極と、
該下部電極の上方に設けられ層の数がｎである電極層と、
該下部電極と該下部電極の直上にある電極層との間及び該電極層間に設けられ所定の光を発する発光層を含み層の数がｎである有機化合物層と、から構成され、
該発光層から発せられ該電極層のうち最も上にある第１電極層へ進行する光について下記式（１’）で示される干渉条件式を満たし、
該第１電極層から、基板の反射面へ進行する光について下記式（２’）で示される干渉条件式を満たすことを特徴とする、有機ＥＬ表示装置。
【数４】
2010015787.tif 000031
2010015787.tif 000032
（式（１’）において、Ｌiは、第１電極層からｉ番目の発光層（第ｉ発光層）の発光領域と第１電極層の表面との間の光学的距離を表す。λiは第ｉ発光層から取り出される光のピーク波長を表す。δは、第１電極層における位相シフト量を表す。ｍi1は自然数を表す。式（２’）において、Ｌtは、第１電極層の反射面と、基板と下部電極との界面と、の間の光学的距離を表す。φは、基板と下部電極との界面で光が反射する際に生じる位相シフト量を表す。ｍi2は、自然数を表す。）
【発明の詳細な説明】
【技術分野】
【０００１】
本発明は、有機ＥＬ表示装置に関する。
【背景技術】
【０００２】
有機ＥＬ表示装置に求められる特性として、例えば、素子寿命と高効率化とが上げられる。素子寿命に関しては、特許文献１にて開示されている多色発光表示装置のように、発光素子を積層することで実質的な発光面積を増やすことにより素子寿命を向上させる方法が考えられる。一方、高効率化に関しては、特許文献２にて開示されている有機ＥＬ素子内の光の干渉を利用することで効率を上げる方法が考えられる。
【０００３】
【特許文献１】米国特許５７０７７４５号明細書
【特許文献２】米国特許６５４１１３０号明細書
【発明の開示】
【発明が解決しようとする課題】
【０００４】
しかし特許文献１のように複数の発光素子を積層する場合、単に積層するだけでは発光効率が上がらないという課題があった。発光効率が上がらない理由として、複数の発光層を積層した場合、光の干渉に関わる光路長が重複しているため、ある特定の色の光を発する発光素子にとって最適な膜厚構成が、他の色の発光素子にとっては効率が上がりにくい構成になることが考えられる。
【０００５】
本発明は、上述した従来技術の問題点を解決するためになされたもので、その目的は、発光効率が高く、かつ消費電力を小さくする有機ＥＬ表示装置を提供することにある。
【課題を解決するための手段】
【０００６】
本発明の有機ＥＬ表示装置は、基板と、
該基板上に設けられる下部電極と、
該下部電極の上方に設けられ層の数がｎである電極層と、
該下部電極と該下部電極の直上にある電極層との間及び該電極層間に設けられ所定の光を発する発光層を含み層の数がｎである有機化合物層と、から構成され、
該発光層から発せられ該下部電極へ進行する光について下記式（１）で示される干渉条件式を満たし、
該下部電極から最上層の反射面へ進行する光について下記式（２）で示される干渉条件式を満たすことを特徴とする。
【０００７】
【数１】
2010015787.tif 000003
2010015787.tif 000004
（式（１）において、Ｌiは、下部電極側からｉ番目の発光層（第ｉ発光層）の発光領域と下部電極表面との間の光学的距離を表す。λiは第ｉ発光層から取り出される光のピーク波長を表す。δは、下部電極における位相シフト量を表す。ｍi1は自然数を表す。式（２）において、Ｌtは、下部電極の反射面と最上層との間の光学的距離を表す。φは、最上層の反射面で光が反射する際に生じる位相シフト量を表す。ｍi2は、自然数を表す。）
【発明の効果】
【０００８】
本発明によれば、積層された発光素子の全てにおいて最適な干渉光路長を形成することが可能となる。このため発光効率が高く、かつ消費電力を小さくする有機ＥＬ表示装置を提供することができる。
【発明を実施するための最良の形態】
【０００９】
以下、本発明について詳細に説明する。
【００１０】
本発明の有機ＥＬ表示装置は、基板と、下部電極と、電極層と、有機化合物層と、から構成されるものである。本発明の有機ＥＬ表示装置は、トップエミッション型であってもよいし、ボトムエミッション型であってもよい。
【００１１】
まずトップエミッション型の有機ＥＬ表に装置について説明する。トップエミッション型の有機ＥＬ表示装置において、下部電極は基板上に設けられる部材である。本発明の有機ＥＬ表示装置において、電極層は、下部電極の上方に設けられる部材である。またこの電極層は、層の数がｎである。本発明の有機ＥＬ表示装置において、有機化合物層は、下部電極と下部電極の直上にある電極層（第１電極層）との間及び電極層間に設けられる部材である。また有機化合物層は所定の光を発する発光層を含む層であって、層の数がｎである。
【００１２】
ただし、有機ＥＬ表示装置に印加する電圧を考慮すると、ｎは、通常、２〜１２である。
【００１３】
トップエミッション型の有機ＥＬ表示装置において、各々の有機化合物層に含まれる発光層から発せられ下部電極へ進行する光については、下記式（１）で示される干渉条件式を満たす。
【００１４】
【数２】
2010015787.tif 000005
【００１５】
式（１）において、Ｌiは、下部電極側からｉ番目の発光層（以下、第ｉ発光層という。）の発光領域と下部電極表面との間の光学的距離を表す。
【００１６】
式（１）において、λiは第ｉ発光層から取り出される光のピーク波長を表す。
【００１７】
式（１）において、δは、下部電極における位相シフト量を表す。
【００１８】
式（１）において、ｍi1は自然数を表す。
【００１９】
またトップエミッション型の有機ＥＬ表示装置において、下部電極から最上層の反射面へ進行する光については、下記式（２）で示される干渉条件式を満たす。
【００２０】
【数３】
2010015787.tif 000006
【００２１】
式（２）において、λi及びδは、式（１）と同様である。
【００２２】
式（２）において、Ｌtは、下部電極の反射面と最上層との間の光学的距離を表す。
【００２３】
式（２）において、φは、最上層の反射面で光が反射する際に生じる位相シフト量を表す。ここでいう最上層とは、例えば、第ｎ番目の電極層（第ｎ電極層）が挙げられるが、これに限定されるものではない。第ｎ電極層の代わりに、この第ｎ電極層上に設けられる光学調整層を最上層としてもよい。尚、光学調整層の詳細については後述する。
【００２４】
式（２）において、ｍi2は、自然数を表す。
【００２５】
次に、ボトムエミッション型の有機ＥＬ表示装置について説明する。ボトムエミッション型の有機ＥＬ表示装置は、その基本構成はトップエミッション型と同様である。即ち、ボトムエミッション型の有機ＥＬ表示装置は、基板と、下部電極と、電極層と、有機化合物層と、から構成されるものである。また、ボトムエミッション型の有機ＥＬ表示装置において、下部電極は基板上に設けられる部材である。一方、電極層は、下部電極の上方に設けられる部材であって、層の数はｎである。ただし、説明の便宜上、電極層のうち最も上にある層を第１電極層といい、以下、下方へ進むごとに第２電極層、第３電極層、・・・といい、下部電極の直上にある層を第ｎ電極層というものとする。他方、有機化合物層は、下部電極と下部電極の直上にある第ｎ電極層との間及び電極層間に設けられる部材である。また有機化合物層は所定の光を発する発光層を含む層であって、層の数がｎである。
【００２６】
ボトムエミッション型の有機ＥＬ表示装置において、各々の有機化合物層に含まれる発光層から発せられ第１電極層へ進行する光については、下記式（１’）で示される干渉条件式を満たす。
【００２７】
【数４】
2010015787.tif 000007
【００２８】
式（１’）において、Ｌiは、第１電極層からｉ番目の発光層（第ｉ発光層）の発光領域と第１電極層の表面との間の光学的距離を表す。
【００２９】
式（１’）において、λiは第ｉ発光層から取り出される光のピーク波長を表す。
【００３０】
式（１’）において、δは、第１電極層における位相シフト量を表す。
【００３１】
式（１’）において、ｍi1は自然数を表す。
【００３２】
またボトムエミッション型の有機ＥＬ表示装置において、第１電極層から基板と下部電極との界面へ進行する光については、下記式（２’）で示される干渉条件式を満たす。
【００３３】
【数５】
2010015787.tif 000008
【００３４】
式（２’）において、λi及びδは、式（１’）と同様である。
【００３５】
式（２’）において、Ｌtは、第１電極層の反射面と、基板と下部電極との界面の間の光学的距離を表す。尚、ボトムエミッション型の有機ＥＬ表示装置において、基板と下部電極との界面は、ボトムエミッション型の有機ＥＬ表示装置における最上層の反射面と同じ役割を果たす。
【００３６】
式（２’）において、φは、基板と下部電極との界面で光が反射する際に生じる位相シフト量を表す。
【００３７】
式（２’）において、ｍi2は、自然数を表す。
【００３８】
本発明の有機ＥＬ表示装置において、ｎは、好ましくは、２又は３である。
【００３９】
即ち、ｎが２の場合、有機ＥＬ表示装置は、基板と、下部反射電極と、第１有機化合物層と、第１電極層と、第２有機化合物層と、第２電極層と、から構成される。ここで下部反射電極は、基板上に設けられる部材である。第１有機化合物層は、下部反射電極上に設けられる部材であり、所定の色を発する第１発光層を含むものである。第１電極層は、第１有機化合物層上に設けられる部材である。第２有機化合物層とは、第１電極層上に設けられる部材であり、所定の色を発する第２発光層を含むものである。第２電極層とは、第２有機化合物層上に設けられる部材である。
【００４０】
そして第１発光層又は第２発光層から発せられ下部反射電極へ進行する光については上記式（１）で示される干渉条件式を満たす。一方、下部反射電極から最上層の反射面へ進行する光については上記式（２）で示される干渉条件式を満たす。尚、ｎが２の場合、最上層とは、第２電極層を指す場合があるが、これに限定されるものではない。この第２電極層上に光学調整層を設けてこれを最上層としてもよい。
【００４１】
ｎが３の場合、有機ＥＬ表示装置は、基板と、下部反射電極と、第１有機化合物層と、第１電極層と、第２有機化合物層と、第２電極層と、第３有機化合物層と、第３電極層と、から構成される。ここで下部反射電極は、基板上に設けられる部材である。第１有機化合物層は、下部反射電極上に設けられる部材であり、所定の色を発する第１発光層を含むものである。第１電極層は、第１有機化合物層上に設けられる部材である。第２有機化合物層とは、第１電極層上に設けられる部材であり、所定の色を発する第２発光層を含むものである。第２電極層とは、第２有機化合物層上に設けられる部材である。第３有機化合物層とは、第２電極層上に設けられる部材であり、所定の色を発する第３発光層を含むものである。第３電極層とは、第３有機化合物層上に設けられる部材である。
【００４２】
そして第１発光層、第２発光層又は第３発光層から発せられ下部反射電極へ進行する光については上記式（１）で示される干渉条件式を満たす。一方、下部反射電極から最上層の反射面へ進行する光については上記式（２）で示される干渉条件式を満たす。尚、ｎが３の場合、最上層とは、第３電極層を指す場合があるが、これに限定されるものではない。この第３電極層上に光学調整層を設けてこれを最上層としてもよい。尚、電極層は単一の電極膜で構成される層であってもよいし、複数の電極膜を積層して構成される多層電極膜であってもよい。以下、同様である。
【００４３】
以下、図面を参照しながら本発明の実施形態を詳細に説明するが、本発明はこれに限定されるものではない。
【００４４】
［実施形態１］
まず実施形態１（第１の実施形態）について説明する。図１は、本発明の有機ＥＬ表示装置における第１の実施形態を示す断面模式図である。
【００４５】
図１の有機ＥＬ表示装置は、基板１上に、下部反射電極２、第１有機化合物層３、第１電極層４、第２有機化合物層５、第２電極層６、第３有機化合物層７、第３電極層８及び光学調整層９がこの順に積層されている。
【００４６】
図１の有機ＥＬ表示装置において、基板１は、支持体１０と、支持体１０上に設けられるＴＦＴ駆動回路１１と、ＴＦＴ駆動回路１１上に設けられる平坦化膜１２及びコンタクトホール１３と、からなる部材である。ここで、平坦化膜１２は、ＴＦＴ駆動回路１１を設けたことによって発生する凹凸を埋めて基板１の表面を平坦化させるために設けられるものである。また、コンタクトホール１３は、ＴＦＴ駆動回路１１と下部反射電極２とを電気接続するために設けられるものである。
【００４７】
また図１の有機ＥＬ表示装置において、第１有機化合物層３、第２有機化合物層５、第３有機化合物層７のそれぞれにおいて、具体的な層構成としては、下記に列挙される（ｉ）〜（ｖ）の型が挙げられるが、本発明はこれに限定されるものものではない。
【００４８】
（ｉ）単層型（発光層）
（ｉｉ）２層型（発光層／正孔注入層）
（ｉｉｉ）３層型（電子輸送層／発光層／正孔輸送層）
（ｉｖ）４層型（電子注入層／発光層／正孔輸送層／正孔注入層）
（ｖ）５層型（電子注入層／電子輸送層／発光層／正孔輸送層／正孔注入層）
【００４９】
また、上記（ｉ）〜（ｖ）にて列挙されている層（発光層、正孔注入層、正孔輸送層、電子注入層、電子輸送層）を構成する材料として、公知の材料を使用することができる。さらに、上記（ｉ）〜（ｖ）にて列挙されている層の形成方法は、蒸着法、塗布法等の公知の方法を採用することができる。一方、有機化合物層に電流を通電することにより、陽極から注入されたホールと陰極から注入された電子とが、有機化合物層に含まれる発光層で再結合する。これにより、発光層に含まれる発光材料の発光色に応じて青、緑、赤それぞれの光を放出することになる。
【００５０】
下部反射電極２は、その構成材料が光反射性の材料であることが好ましい。下部反射電極２の構成部材として、好ましくは、Ｃｒ、Ａｌ、Ａｇ、Ａｕ、Ｐｔ等の金属材料である。上記の金属材料の中でも反射率が高い金属材料は、光学調整層９へ光を取り出す効率が向上するので好ましい。
【００５１】
また、下部反射電極２は、金属材料からなる層と、ＩＴＯ膜等の透明導電膜とをこの順で積層した積層体であってもよい。この場合、金属材料からなる層は光を反射する機能を担うものであり、透明導電膜が電極としての機能を担うものである。
【００５２】
この下部反射電極２を形成する方法として、スパッタ法等の公知の方法を採用することができる。
【００５３】
第１電極層４、第２電極層６及び第３電極層８は、各有機化合物層を個別に分離すると共に、各有機化合物層を個別に駆動する機能を有する電極層である。ここで、第１電極層４、第２電極層６及び第３電極層８は、光の干渉の妨げにならないように、層自体の光の透過率が高い透明電極層であることが望ましい。
【００５４】
第１電極層４、第２電極層６及び第３電極層８の構成材料として、具体的には、ＩＴＯ、ＩＺＯ等の透明導電膜、Ａｇ、Ａｌ等の金属材料を実質的に透明と考えられる程度の薄い膜厚で電極層としたもの、又は上記の材料を複数の層に積層したものが挙げられる。
【００５５】
また各電極層の形成手法として、蒸着法やスパッタ法といった公知の成膜手法を採用することができる。
【００５６】
本実施形態では第３電極層８上に光学調整層９を設けている。後述するように有機ＥＬ表示装置の構成部材である有機ＥＬ素子は、素子自体の層膜厚が光の波長とほぼ同じ大きさであるため、光の干渉効果を強く受ける。そこで光学調整層９を設けると、光学調整層９の上部界面において、空気との屈折率段差により光の反射が起こる。また光学調整層９は、光の干渉効果を最適化するように光路長の調整を行うことを目的とする部材である。
【００５７】
光学調整層９の構成材料は、有機化合物層に悪影響を与えない限り限定されることはないが、好ましくは、ＳｉＯ2、ＳｉＮ等が挙げられる。
【００５８】
次に、本発明の原理について、この実施形態１を例にとって説明する。尚、以下の説明において、第１有機化合物層３は、緑色発光（Ｇｒｅｅｎ発光）をし、第２有機化合物層５は、青色発光（Ｂｌｕｅ発光）をし、第３有機化合物層７は赤色発光（Ｒｅｄ発光）をするものとする。
【００５９】
第１有機化合物層３に含まれる発光層からＥＬ発光が生じた場合、その光は、第１有機化合物層３を構成する各層の屈折率及び吸収係数の違いにより、反射、屈折、透過、吸収等を繰り返して外部に取り出されることになる。また外部に取り出される光量は様々な経路を通ってきた光が互いに干渉し、強め合うことで増大する。
【００６０】
具体的には、第１有機化合物層３の発光領域からは、以下の（Ａ）〜（Ｃ）に挙げる発光が考えられる。
【００６１】
（Ａ）第１電極層４を透過し直接取り出し方向（光学調整層９の方向）へ向かう光（以下、Ａ発光という。）
（Ｂ）一旦下部反射電極２の反射面で反射した後取り出し方向へ向かう光（以下、Ｂ発光という。）
（Ｃ）取り出し方向へ向かった光のうち光学調整層９の上部界面で反射して下部反射電極２の方向へ戻されて、光学調整層９と下部反射電極２との間を多重反射した後外部へ取り出される光（以下、Ｃ発光という。）
【００６２】
尚、実際には、下部反射電極２と光学調整層９との間にある各層間においてもある一定の割合で光は反射されるが、ここでは影響が大きいと考えられる上記のＡ発光、Ｂ発光及びＣ発光に限定して以下に言及する。
【００６３】
第１有機化合物層３からの発光を具体例に挙げながら以下説明する。
【００６４】
ここで第１有機化合物層３において、Ａ発光とＢ発光とが干渉し強めあうためには、下記式（３）で示される関係（干渉条件式）を満たす必要がある。
【００６５】
【数６】
2010015787.tif 000009
【００６６】
式（３）において、Ｌ1は、第１発光層の発光領域ｅ1と下部反射電極２の表面との間の光路長を表す。尚、光路長とは各層の屈折率に膜厚をかけたものであり、光学的距離と同じ意味である。また光路長を求めるのに必要な要素となる屈折率は、分光エリプソメトリー等の光学測定器を用いて測定することができる。
【００６７】
式（３）において、λ1は第１発光層から取り出される光のスペクトル（第１有機化合物層３からの多重干渉スペクトル）のピーク波長を表す。
【００６８】
式（３）において、δは、下部反射電極における位相シフト量を表す。
【００６９】
式（３）において、ｍi1は自然数を表す。
【００７０】
上記式（３）を満足すればＡ発光の取り出し時の位相とＢ発光の取り出し時の位相とが揃うため、Ａ発光とＢ発光とが干渉し強めあうことになる。尚、多重干渉スペクトルのピーク波長とは多重干渉の結果取り出される光のピーク波長であり、強めたい光の波長をいうものである。従って、第１発光層自体の発光スペクトル（ＰＬスペクトル）のピーク波長と異なっていてもよい。ただし、最上層（光学調整層９）へ効率的に光を取り出すためには、最上層から取り出される光のピーク波長が第１発光層のＰＬスペクトルの半値幅内にあることが望ましい。
【００７１】
一方、第１有機化合物層３において、Ａ発光とＣ発光とが干渉し強めあうためには、下記式（４）で示される関係（干渉条件式）を満たす必要がある。
【００７２】
【数７】
2010015787.tif 000010
【００７３】
式（４）において、λi及びδは、上記式（３）と同様である。
【００７４】
式（４）において、Ｌtは、取り出し側の反射界面である光学調整層９の上面から下部反射電極２の表面までの全層光路長を表す。
【００７５】
式（４）において、φは、最上層の反射面で光が反射する際に生じる位相シフト量を表す。
【００７６】
式（４）において、ｍi2は、自然数を表す。
【００７７】
上記式（４）を満足すればＡ発光の取り出し時の位相とＣ発光の取り出し時の位相とが揃うため、Ａ発光とＣ発光とが干渉し強めあうことになる。
【００７８】
このように有機ＥＬ表示装置の発光効率を向上させるためには、Ｂ発光及びＣ発光の位相を、それぞれＡ発光の位相に揃える必要がある。位相をそろえることによりそれぞれの発光が干渉し強めあうことができる。
【００７９】
図２は、図１の有機ＥＬ表示装置において、各有機化合物層の光路長を示す図である。
【００８０】
図２において、Ｌ1は、図１のＬ1と同様である。図２において、Ｌ2は、第２発光層の発光領域ｅ2と下部反射電極２の表面との間の光路長を表す。図２において、Ｌ3は、第３発光層の発光領域ｅ3と下部反射電極２の表面との間の光路長を表す。ここで図２に示される光路長Ｌ1、Ｌ2、Ｌ3及びＬtは、光の干渉を考える上で重要な要素となる。また先程は、第１有機化合物層３について説明したが、第２有機化合物層５や第３有機化合物層７においても、Ｂ発光及びＣ発光の位相を、それぞれＡ発光の位相に揃える必要がある。位相をそろえることによりそれぞれの発光が干渉し強めあうことができる。
【００８１】
ここで、光路長Ｌ1、Ｌ2及びＬ3は、各有機化合物層に含まれる発光層から取り出される光のスペクトル（各有機化合物層の多重干渉スペクトル）のピーク波長λ1、λ2、λ3に応じて、適宜調整が可能である。具体的には、Ｌ1、Ｌ2及びＬ3は、λ1、λ2、λ3に応じて、有機化合物層や電極層の膜厚を適宜調整することにより、式（１）で示される干渉条件式を満足させることが可能である。ただし、全層光路長Ｌtは、有機ＥＬ表示装置を構成する全ての有機化合物層に影響を与えるため、式（２）で示される干渉条件式を満足させるための膜厚設計には熟慮が必要である。
【００８２】
本実施形態において、第１有機化合物層３について、下記式（５ａ）に示される干渉条件式を満たす必要がある。第２有機化合物層５について、下記式（５ｂ）に示される干渉条件式を満たす必要がある。第３有機化合物層７について、下記式（５ｃ）に示される干渉条件式を満たす必要がある。
【００８３】
【数８】
2010015787.tif 000011
2010015787.tif 000012
【００８４】
本実施形態では、第１有機化合物層３に含まれる第１発光層の発光色が緑であり、第２有機化合物層５に含まれる第２発光層の発光色が青であり、第３有機化合物層７に含まれる第３発光層の発光色が赤である。
【００８５】
また下部反射電極２は金属材料からなるため、反射時の位相シフト量δはほぼπラジアンであり、屈折率段差での反射による位相シフト量φは０と考えてよい。
【００８６】
以上を考慮して、取り出し光のピーク波長及びＬtを下記表１に示すように設定する。
【００８７】
【表１】
2010015787.tif 000013
【００８８】
表１より、各有機化合物層のそれぞれにおいて取り出し光のピーク波長が異なるにも関わらず、全ての有機化合物層において、式（５ａ）〜式（５ｃ）で示される干渉条件式をほぼ満足している。
【００８９】
また、下側の干渉条件式（１）に関しては下記表２のように設定する。
【００９０】
【表２】
2010015787.tif 000014
【００９１】
表１及び表２に記載の光路長に設定することで、有機ＥＬ表示装置を構成する３種の有機化合物層の全てにおいて、式（１）及び式（２）の干渉条件式を満足する。従って、有機ＥＬ表示装置の発光効率は向上され、有機ＥＬ表示装置の低消費電力化に貢献することができる。
【００９２】
［比較形態１］
上記実施形態１との比較を目的として、下記表３に示されるように光路長に設定する。
【００９３】
【表３】
2010015787.tif 000015
【００９４】
この比較形態１は、実施形態１と比較して、３種の有機化合物層を有している点と、下側の干渉条件（表２）は実施形態１と同じである。ただし、全層の光路長Ｌtを、青色発光（Ｂｌｕｅ発光）をする第２有機化合物層に合わせてある点で実施形態１とは異なる。つまり、比較形態１は、第２有機化合物層における光の干渉を合わせることだけを考えて設計したものであり、上記表３は、ｍ22のみ自然数となるように設定してある。この比較形態１について発光効率及び消費電力を実施形態１と比較した。その結果を下記表４に示す。
【００９５】
【表４】
2010015787.tif 000016
【００９６】
表４より、比較形態１は、青色発光（Ｂｌｕｅ発光）及び緑色発光（Ｇｒｅｅｎ）の発光効率は実施形態１と同等であるが、赤色発光（Ｒｅｄ発光）の干渉が効きにくい構成である。このため赤色発光の発光効率が実施例１と比較して０．６７倍しか出ない。一方、表４より、実施形態１では、３種の有機化合物層の全てにおいて発光効率が大きくなるように光路長を調整してあるため、比較形態１よりも消費電力が小さいことが示されている。
【００９７】
［実施形態２］
次に、実施形態２（第２の実施形態）について説明する。図３は、本発明の有機ＥＬ表示装置における第２の実施形態を示す断面模式図である。
【００９８】
図３の有機ＥＬ表示装置は、基板１上に、下部反射電極２、第１有機化合物層３、第１電極層４、第２有機化合物層５、第２電極層６がこの順に積層されている。尚、図３の有機ＥＬ表示装置を構成する部材について、上述した実施形態１と同じ事項に関しては説明を省略する。一方、図３の有機ＥＬ表示装置は、基板１上に設けられる下部反射電極２、第１有機化合物層３、第１電極層４、第２有機化合物層５及び第２電極層６を、画素と呼ばれる一定の領域に区画するための画素分離膜１４が、基板１上に設けられている。
【００９９】
図３の有機ＥＬ表示装置の構成部材である２種の有機化合物層（第１有機化合物層３、第２有機化合物層５）に含まれる発光層は、それぞれ発光色が異なる。例えば、画素Ｐ１においては、第１有機化合物層３に含まれる第１発光層は青色発光をし、第２有機化合物層５に含まれる第２発光層は赤色発光をする。一方、画素分離膜１４を跨いで画素Ｐ１に隣接する画素Ｐ２においては、第１有機化合物層３に含まれる第１発光層は青色発光をし、第２有機化合物層５に含まれる第２発光層は緑色発光をする。
【０１００】
図３の有機ＥＬ表示装置において、第１電極層４は、光の干渉の妨げにならないように透明電極であることが望ましい。ここで、第１電極層４は、一層で構成され、第１有機化合物層３や第２有機化合物層５の共通電極として機能してもよいし、導電層／絶縁層／導電層のような構成にして第１有機化合物層３と第２有機化合物層５とを独立して駆動できるような構成にしてもよい。
【０１０１】
図３の有機ＥＬ表示装置において、最上層は第２電極層６である。このため、第２電極層６は金属材料を１０ｎｍ〜２０ｎｍ程度の膜厚で成膜した半透過電極とするのが好ましい。第２電極層６を構成する金属材料として、Ａｌ、Ａｇ、Ｍｇ等公知の金属単体又はこれら金属単体を複数種組み合わせた合金が挙げられる。また半透過膜である第２電極層６の上面は、光取り出し側の反射面として機能する。
【０１０２】
図４は、図３の有機ＥＬ表示装置において取り出され得る光、及び各有機化合物層の光路長を示す図である。図４において、Ｌ1は、第１発光層の発光領域ｅ1と下部反射電極２の表面との間の光路長を表す。図４において、Ｌ2は、第２発光層の発光領域ｅ2と下部反射電極２の表面との間の光路長を表す。図４において、Ｌtは、取り出し側の反射界面である第２電極層６の下面から下部反射電極２の表面までの全層光路長を表す。
【０１０３】
本実施形態の有機ＥＬ表示装置において取り出され得る光は、実施形態１で述べたＡ発光、Ｂ発光及びＣ発光と同じである。
【０１０４】
ここで第１有機化合物層３において、Ａ発光とＢ発光とが干渉し強めあうための条件は、下記式（６ａ）で示される関係を満たす必要がある。また第２有機化合物層５において、Ａ発光とＢ発光とが干渉し強めあうための条件は、下記式（６ｂ）で示される関係を満たす必要がある。
【０１０５】
【数９】
2010015787.tif 000017
2010015787.tif 000018
【０１０６】
式（６ａ）において、δは、下部反射電極２における位相シフト量を表す。
【０１０７】
式（６ａ）において、λ1は、第１有機化合物層３に含まれる第１発光層から取り出される光のピーク波長を表す。
【０１０８】
式（６ａ）において、ｍ1は自然数である。
【０１０９】
式（６ｂ）において、λ2は、第２有機化合物層５に含まれる第２発光層から取り出される光のピーク波長を表す。
【０１１０】
式（６ｂ）において、ｍ1、ｍ2は自然数である。
【０１１１】
上記式（６ａ）と（６ｂ）とをそれぞれ満足すれば、第１有機化合物層３と第２有機化合物層５とのそれぞれにおいて、Ａ発光の取り出し時の位相とＢ発光の取り出し時の位相とが揃うため、Ａ発光とＢ発光とが干渉し強めあうことになる。
【０１１２】
一方、第１有機化合物層３において、Ａ発光とＣ発光とが干渉し強めあうための条件は、下記式（７ａ）で示される関係を満たす必要がある。また第２有機化合物層５において、Ａ発光とＣ発光とが干渉し強めあうための条件は、下記式（７ｂ）で示される関係を満たす必要がある。
【０１１３】
【数１０】
2010015787.tif 000019
2010015787.tif 000020
【０１１４】
本実施形態では、第１有機化合物層３に含まれる第１発光層の発光色が緑であり、第２有機化合物層５に含まれる第２発光層の発光色が青であり、第３有機化合物層７に含まれる第３発光層の発光色が赤である。
【０１１５】
また下部反射電極２は金属材料からなるため、反射時の位相シフト量δはほぼπラジアンであり、屈折率段差での反射による位相シフト量φは０と考えてよい。
【０１１６】
以上を考慮して、取り出し光のピーク波長及びＬtを下記表５に示すように設定する。
【０１１７】
【表５】
2010015787.tif 000021
【０１１８】
表５より、各有機化合物層のそれぞれにおいて取り出し光のピーク波長が異なるにも関わらず、全ての有機化合物層において、式（７ａ）及び式（７ｃ）で示される干渉条件式をほぼ満足している。
【０１１９】
また、下側の干渉条件式（１）に関しては下記表６のように設定する。
【０１２０】
【表６】
2010015787.tif 000022
【０１２１】
表５及び表６に記載の光路長に設定することで、有機ＥＬ表示装置を構成する３種の有機化合物層の全てにおいて、干渉強め合いの条件式を満足する。従って、有機ＥＬ表示装置の発光効率は向上され、有機ＥＬ表示装置の低消費電力化に貢献することができる。
【０１２２】
［比較形態２］
上記実施形態２との比較を目的として、下記表７に示されるように光路長に設定する。
【０１２３】
【表７】
2010015787.tif 000023
【０１２４】
この比較形態２は、実施形態２と比較して、２種の有機化合物層を有している点と、下側の干渉条件（表６）は実施形態２と同じである。ただし、全層の光路長Ｌtを、青色発光（Ｂｌｕｅ発光）をする第１有機化合物層に合わせてある点で実施形態１とは異なる。つまり、比較形態２は、第１有機化合物層における光の干渉を合わせることだけを考えて設計したものであり、上記表７は、ｍ12のみ自然数となるように設定してある。この比較形態２について発光効率及び消費電力を実施形態２と比較した。その結果を下記表８に示す。
【０１２５】
【表８】
2010015787.tif 000024
【０１２６】
表８より、比較形態２は、青色発光（Ｂｌｕｅ発光）の発光効率は実施形態２と同等であるが、赤色発光（Ｒｅｄ発光）の干渉が効きにくい構成である。このため赤色発光の発光効率が実施例１と比較して０．１９倍しか出ない。一方、表８より、実施形態２では、２種の有機化合物層の全てにおいて、当該有機化合物に含まれる発光層から発する光の干渉がきくように光路長を調整してある。このため、いずれの有機化合物層においても比較形態２よりも発光効率がよいことが示されている。
【０１２７】
以上説明したように、本発明によれば、複数の有機化合物層を積層した構成の有機ＥＬ表示装置において、積層した全ての有機化合物層において高い発光効率が得られる。このため、消費電力を低減した有機ＥＬ表示装置を提供することができる。ところで従来のように有機化合物層を積層することなく並列に配置した場合では、有機化合物層同士は独立に設けられるため個々の有機化合物層の干渉に関して個別最適化すればよい。しかしながら、複数の有機化合物層を積層した場合、光の干渉に関係する光路長が重複しているため、本発明のような全体最適化の概念が必要であるといえる。
【図面の簡単な説明】
【０１２８】
【図１】本発明の有機ＥＬ表示装置における第１の実施形態を示す断面模式図である。
【図２】図１の有機ＥＬ表示装置において、各有機化合物層の光路長を示す図である。
【図３】本発明の有機ＥＬ表示装置における第２の実施形態を示す断面模式図である。
【図４】図３の有機ＥＬ表示装置において取り出され得る光、及び各有機化合物層の光路長を示す図である。
【符号の説明】
【０１２９】
１  基板
２  下部反射電極
３  第１有機化合物層
４  第１電極層
５  第２有機化合物層
６  第２電極層
７  第３有機化合物層
８  第３電極層
９  光学調整層
１０  支持体
１１  ＴＦＴ駆動回路
１２  平坦化膜
１３  コンタクトホール
１４  画素分離膜
【図１】
2010015787.tif 000035
【図２】
2010015787.tif 000036
【図３】
2010015787.tif 000037
【図４】
2010015787.tif 000038